(57)【要約】【課題】  機器がコンパクト化されたとしても、少ない空間で作業性の向上が図れること。【解決手段】  本発明の電磁操作式開閉装置は、上記の課題を解決するため、電磁操作装置の電磁石で発生した電磁力に伴う駆動力が、前記電磁操作装置と操作プレートを介して接続されたシャフトの主軸の回転により主回路側レバー及び絶縁ロッドを介して伝達されると共に、相対向して配置された可動電極と固定電極が離間又は接触され、絶縁物で一体注型された絶縁物注型遮断部を有する真空遮断器を備え、前記主回路側レバーは貫通穴が形成されたピンが、前記貫通孔の貫通方向と直交する方向に取り付けられ、かつ、前記絶縁ロッドの下部には雌ねじ部が形成されていると共に、前記ピンの貫通穴を介して前記絶縁ロッドの前記雌ねじ部にボルトを挿入し、該ボルトに通されているナットを締め付けることで、前記主回路側レバーと前記絶縁ロッドが接続されることを特徴とする。【選択図】図４
2015210926.tif 000002
【特許請求の範囲】
【請求項１】
相対向して配置された可動鉄心と固定鉄心及び電磁力に応じて前記可動鉄心と前記固定鉄心を離間又は接触させる電磁石コイルを有し、ケースで覆われている共に、前記ケースの中央部に配置された電磁石から成る電磁操作装置と、該電磁操作装置の電磁石で発生した電磁力に伴う駆動力が、前記電磁操作装置と操作プレートを介して接続されたシャフトの主軸の回転により主回路側レバー及び絶縁ロッドを介して伝達されると共に、相対向して配置された可動電極と固定電極が離間又は接触され、絶縁物で一体注型された絶縁物注型遮断部を有する真空遮断器とを備え、
前記主回路側レバーは貫通穴が形成されたピンが、前記貫通穴の貫通方向と直交する方向に取り付けられ、かつ、前記絶縁ロッドの下部には雌ねじ部が形成されていると共に、前記ピンの貫通穴を介して前記絶縁ロッドの前記雌ねじ部にボルトを挿入し、該ボルトに通されているナットを締め付けることで、前記主回路側レバーと前記絶縁ロッドが接続されることを特徴とする電磁操作式開閉装置。
【請求項２】
請求項１に記載の電磁操作式開閉装置において、
前記主回路側レバーと前記絶縁ロッドの接続部を覆っている前記ケースに、前記ボルトの前記雌ねじ部への挿入寸法を調整するために前記ナットを回す工具を挿入するための孔が設けられていることを特徴とする電磁操作式開閉装置。
【請求項３】
請求項２に記載の電磁操作式開閉装置において、
前記ケースに設けられている孔は、前記ボルトの下部と前記主回路側レバーの延長線上の前記ケースにそれぞれ設けられていることを特徴とする電磁操作式開閉装置。
【請求項４】
請求項１乃至３のいずれか１項に記載の電磁操作式開閉装置において、
前記ナットは、シングルナット又はダブルナットであることを特徴とする電磁操作式開閉装置。
【請求項５】
相対向して配置された可動鉄心と固定鉄心及び電磁力に応じて前記可動鉄心と前記固定鉄心を離間又は接触させる電磁石コイルを有し、ケースで覆われている共に、前記ケースの中央部に配置された電磁石から成る電磁操作装置と、該電磁操作装置の電磁石で発生した電磁力に伴う駆動力が、前記電磁操作装置と操作プレートを介して接続されたシャフトの主軸の回転により主回路側レバー及び絶縁ロッドを介して伝達されると共に、相対向して配置された可動電極と固定電極が離間又は接触され、絶縁物で一体注型された絶縁物注型遮断部を有する真空遮断器とを備え、
前記主回路側レバーは貫通穴が形成されたピンが、前記貫通穴の貫通方向と直交する方向に取り付けられ、かつ、前記絶縁ロッドの下部には雌ねじ部が形成されていると共に、前記ピンの貫通穴を介して前記絶縁ロッドの前記雌ねじ部にボルトを挿入し、該ボルトに通されているナットを締め付けることで、前記主回路側レバーと前記絶縁ロッドを接続するに当たり、
前記絶縁物注型遮断部を前記ケースに取り付けると共に、前記主回路側レバーに前記貫通穴の空いた前記ピンを取り付け、その後、前記シャフトを前記ケースに固定し、かつ、前記ピンの貫通穴を通した前記ボルトを前記絶縁ロッドの下部に形成されている前記雌ねじ部に挿入した後、前記ボルトに通されている前記ナットを締め付けることで、前記シャフトと前記絶縁ロッドを接続することを特徴とする電磁操作式開閉装置の組立方法。
【請求項６】
相対向して配置された可動鉄心と固定鉄心及び電磁力に応じて前記可動鉄心と前記固定鉄心を離間又は接触させる電磁石コイルを有し、ケースで覆われている共に、前記ケースの中央部に配置された電磁石から成る電磁操作装置と、該電磁操作装置の電磁石で発生した電磁力に伴う駆動力が、前記電磁操作装置と操作プレートを介して接続されたシャフトの主軸の回転により主回路側レバー及び絶縁ロッドを介して伝達されると共に、相対向して配置された可動電極と固定電極が離間又は接触され、絶縁物で一体注型された絶縁物注型遮断部を有する真空遮断器とを備え、
前記主回路側レバーは貫通穴が形成されたピンが、前記貫通穴の貫通方向と直交する方向に取り付けられ、かつ、前記絶縁ロッドの下部には雌ねじ部が形成されていると共に、前記ピンの貫通穴を介して前記絶縁ロッドの前記雌ねじ部にボルトを挿入し、該ボルトに通されているナットを締め付けることで、前記主回路側レバーと前記絶縁ロッドが接続される電磁操作式開閉装置のワイプ量を調整するに当たり、
前記主回路側レバーと前記絶縁ロッドの接続部を覆っている前記ケースに設けられている孔から前記ナットを回す工具を挿入し、該工具を回して前記ボルトの前記雌ねじ部への挿入寸法を調整してワイプ量の調整を行うことを特徴とする電磁操作式開閉装置のワイプ量調整方法。
【請求項７】
請求項６に記載の電磁操作式開閉装置のワイプ量調整方法において、
前記ケースに設けられている孔は、前記ボルトの下部と前記主回路側レバーの延長線上のそれぞれに設けられ、前記主回路側レバーの延長線上のケースに設けられた孔から前記工具を挿入して前記ナットを緩め、前記ボルトの下部に設けられた孔から前記工具を挿入して前記ボルトを回し、前記ボルトの前記雌ねじ部への挿入寸法を変化させることでワイプ量の調整を行うことを特徴とする電磁操作式開閉装置のワイプ量調整方法。
【発明の詳細な説明】
【技術分野】
【０００１】
本発明は電磁操作式開閉装置及びその組立方法並びにワイプ量調整方法に係り、特に、真空遮断器などの開閉器を電磁操作装置の電磁力を利用して開閉するものに好適な電磁操作式開閉装置及びその組立方法並びにワイプ量調整方法に関する。
【背景技術】
【０００２】
本技術分野の電磁操作式開閉装置として、特許文献１に記載されたものがある。この特許文献１には、真空遮断器を構成要素とする受配電用スイッチギヤの奥行き寸法を、更に小さくできる真空遮断器を提供することを課題とし、操作部と遮断部を載せた台車と、スイッチギヤに接続する制御ケーブルのコネクタを挿脱可能な制御プラグとを備えた真空遮断器において、前記制御プラグは、その接続口部が垂直上方に向くように、前記操作部を収納するケースの天井板に設けられ、前記制御ケーブルのコネクタが、前記制御プラグの接続口部に垂直方向に挿脱可能であることが記載されている。
【０００３】
また、電磁操作式開閉装置の他の例として、特許文献２に記載されたものがある。この特許文献２には、操作機構部の機械的強度を分散させ、補強部材や連結リンクなどの部品点数の削減を図ることを課題とし、主回路を開閉する一対の接点を有する真空バルブと、真空バルブの可動軸の軸方向に連結された絶縁操作ロッドと、絶縁操作ロッドの軸方向に連結されると共に、接点間に接触荷重を加えるワイプバネと、ワイプバネに一方端が連結された回動自在の操作レバーと、操作レバーの他方端に連結された操作機構とを備えている真空遮断器が記載されている。
【先行技術文献】
【特許文献】
【０００４】
【特許文献１】特開２０１０−２７４８６号公報
【特許文献２】特開２０１２−２２１６５０号公報
【発明の概要】
【発明が解決しようとする課題】
【０００５】
上述した特許文献１及び２では、ワイプ量を調整する機構をワイプばねの前後に構成することにより、ワイプ量を調整している。
【０００６】
しかしながら、近年、機器がコンパクト化されることにより、ワイプ量を調整する機構を配置する空間が少なくなる傾向にあり、一方で、ワイプ量は、主回路に直結する重要な調整値のため、少ない空間の中でも配置できる作業性の高いワイプ調整機構が必要であるが、特許文献１及び２は、必ずしも上記に対応する構成にはなっていなかった。
【０００７】
本発明は上述の点に鑑みなされたもので、その目的とするところは、機器がコンパクト化されたとしても、少ない空間で作業性の向上が図れる電磁操作式開閉装置及びその組立方法並びにワイプ量調整方法を提供することにある。
【課題を解決するための手段】
【０００８】
本発明の電磁操作式開閉装置は、上記目的を達成するために、相対向して配置された可動鉄心と固定鉄心及び電磁力に応じて前記可動鉄心と前記固定鉄心を離間又は接触させる電磁石コイルを有し、ケースで覆われている共に、前記ケースの中央部に配置された電磁石から成る電磁操作装置と、該電磁操作装置の電磁石で発生した電磁力に伴う駆動力が、前記電磁操作装置と操作プレートを介して接続されたシャフトの主軸の回転により主回路側レバー及び絶縁ロッドを介して伝達されると共に、相対向して配置された可動電極と固定電極が離間又は接触され、絶縁物で一体注型された絶縁物注型遮断部を有する真空遮断器とを備え、前記主回路側レバーは貫通穴が形成されたピンが、前記貫通穴の貫通方向と直交する方向に取り付けられ、かつ、前記絶縁ロッドの下部には雌ねじ部が形成されていると共に、前記ピンの貫通穴を介して前記絶縁ロッドの前記雌ねじ部にボルトを挿入し、該ボルトに通されているナットを締め付けることで、前記主回路側レバーと前記絶縁ロッドが接続されることを特徴とする。
【０００９】
また、本発明の電磁操作式開閉装置の組立方法は、上記目的を達成するために、前記主回路側レバーは貫通穴が形成されたピンが、前記貫通穴の貫通方向と直交する方向に取り付けられ、かつ、前記絶縁ロッドの下部には雌ねじ部が形成されていると共に、前記ピンの貫通穴を介して前記絶縁ロッドの前記雌ねじ部にボルトを挿入し、該ボルトに通されているナットを締め付けることで、前記主回路側レバーと前記絶縁ロッドを接続するに当たり、前記絶縁物注型遮断部をケースに取り付けると共に、前記主回路側レバーに前記貫通穴の空いた前記ピンを取り付け、その後、前記シャフトを前記ケースに固定し、かつ、前記ピンの貫通穴を通した前記ボルトを前記絶縁ロッドの下部に形成されている前記雌ねじ部に挿入した後、前記ボルトに通されている前記ナットを締め付けることで、前記シャフトと前記絶縁ロッドを接続することを特徴とする。
【００１０】
また、本発明の電磁操作式開閉装置のワイプ量調整方法は、上記目的を達成するために、前記主回路側レバーは貫通穴が形成されたピンが、前記貫通穴の貫通方向と直交する方向に取り付けられ、かつ、前記絶縁ロッドの下部には雌ねじ部が形成されていると共に、前記ピンの貫通穴を介して前記絶縁ロッドの前記雌ねじ部にボルトを挿入し、該ボルトに通されているナットを締め付けることで、前記主回路側レバーと前記絶縁ロッドが接続される電磁操作式開閉装置のワイプ量を調整するに当たり、前記主回路側レバーと前記絶縁ロッドの接続部を覆っている前記ケースに設けられている孔から前記ナットを回す工具を挿入し、該工具を回して前記ボルトの前記雌ねじ部への挿入寸法を調整してワイプ量の調整を行うことを特徴とする。
【発明の効果】
【００１１】
本発明によれば、機器がコンパクト化されたとしても、少ない空間で作業性の向上図れる効果が得られる。
【図面の簡単な説明】
【００１２】
【図１】本発明の電磁操作式開閉装置の実施例１を示す正面図である。
【図２】本発明の電磁操作式開閉装置の実施例１における遮断部と操作機構部の関係を一部断面して示す図である。
【図３】本発明の電磁操作式開閉装置の実施例１における遮断部と補助接点部の関係を一部断面して示す図である。
【図４】本発明の電磁操作式開閉装置の実施例１におけるワイプ構造の詳細を示す断面図である。
【発明を実施するための形態】
【００１３】
以下、図示した実施例に基づいて、本発明の電磁操作式開閉装置及びその組立方法並びにワイプ量調整方法を説明する。なお、各図において、同一構成部品には同符号を使用する。
【実施例１】
【００１４】
図１乃至図４に、本発明の電磁操作式開閉装置の実施例１を示す。
【００１５】
該図に示す如く、本実施例の電磁操作式開閉装置は、相対向して配置された図示しない可動鉄心と固定鉄心及び電磁力に応じて可動鉄心と固定鉄心を離間又は接触させる電磁石コイル２４を有し、ケース４９で覆われている共に、ケース４９の中央部に配置された電磁石から成る電磁操作装置３と、この電磁操作装置３の電磁石で発生した電磁力に伴う駆動力が、電磁操作装置３と操作プレート２９を介して接続されたシャフト２の主軸の回転により主回路側レバー１５及び絶縁ロッド１８を介して伝達されると共に、相対向して配置された図示しない可動電極と固定電極が離間又は接触され、絶縁物で一体注型された絶縁物注型遮断部４８を有する真空遮断器６０とから概略構成されている。
【００１６】
更に、本実施例の電磁操作式開閉装置は、ケース４９の中央に取り付けた駆動力を発生する電磁操作装置３と、電磁石コイル２４の電流を充電するためのコンデンサ４と、電磁操作式開閉装置の動作回数や開閉状態をデジタル信号に変換する補助接点部１と、制御プラグ４２若しくは入ボタン４４、切ボタン４５から出る開閉動作の指令や電磁操作装置３の動作をコントロールする制御基板４１と、主回路を通電もしくは遮断の状態にする真空バルブ５０を有する絶縁物注型遮断部４８と、電磁操作装置３で発生した駆動力を絶縁物注型遮断部４８へ連動するリンク機構を有するシャフト２を備えている。
【００１７】
以下、それぞれの構成について詳細に説明する。
【００１８】
先ず、電磁操作装置３は、取り付けボルト２０と取り付けプレート２１、２５によりケース４９の中央に固定され、上下の取り付けプレート２１、２５間に取り付けられた永久磁石２２、電磁石コイル２４と、下部の取り付けプレート２５下部の遮断ばね２７と、電磁操作装置３の中心を貫通する操作ロッド２６とにより構成される。永久磁石２２と電磁石コイル２４は、強い磁束を発生するため、強磁性体のケースに収納されている。電磁操作装置３は、永久磁石２２の磁束による吸引力と電磁石コイル２４に発生する電磁力及び遮断ばね２７の弾性力を用いて、操作ロッド２６に上下方向の駆動力を与える。
【００１９】
一方、絶縁物注型遮断部４８は、真空容器の内部で相対する可動電極と固定電極を接触又は引き離すことにより主回路を開閉する真空バルブ５０と、下部導体４６に接続される主回路導体５２と、ばね力により真空バルブ５０内の電極の接触圧力を調整するワイプばね５３と、主回路と他の部品を電気的に絶縁する絶縁ロッド１８とを備え、これらを絶縁物の樹脂で注型した構造である。
【００２０】
また、シャフト２は、シャフト主軸１４を中心にして、補助接点側レバー１３と主回路側レバー１５及び電磁操作器側レバー１６が接続された構造である。シャフト２は、電磁操作装置３と操作プレート２９を介して接続され、電磁操作装置３で発生した駆動力を、シャフト主軸１４の回転により、主回路側レバー１５を介して絶縁物注型遮断部４８に伝達している。
【００２１】
また、補助接点部１は、図３に示すように、補助接点側レバー１３から伝達される駆動力により上下に可動する操作ロッド５と、補助接点レバー８を介して操作ロッド５に接続され、絶縁物注型遮断部４８の開閉の状態をデジタル信号に変換する補助接点７と、カウンタレバー１０及びカウンタ操作ばね９を介して操作ロッド５に接続され、絶縁物注型遮断部４８の開閉回数を表示するカウンタ６とで構成される。
【００２２】
更に、補助接点部１は、シャフト２を介して電磁操作装置３に連動して動作し、制御基板４１若しくは外部の制御装置に接続する制御プラグ４２に、絶縁物注型遮断部４８の開閉の状態を送信する。
【００２３】
そして、本実施例では、主回路側レバー１５には上下方向に貫通穴３４Ａが形成されたピン３４が、貫通穴３４Ａの貫通方向と直交する方向（紙面と直角方向）に取り付けられ、かつ、絶縁ロッド１８の下部には雌ねじ部４０が形成されていると共に、ピン３４の貫通穴３４Ａを介して絶縁ロッド１８の雌ねじ部４０にボルト３３を挿入し、このボルト３３に通されているナット３５、３６を締め付けることで、主回路側レバー１５と絶縁ロッド１８が接続されている。
【００２４】
また、本実施例では、後で詳述するが、主回路側レバー１５と絶縁ロッド１８の接続部を覆っているケース４９に、ボルト３３の雌ねじ部４０への挿入寸法を調整するためにナット３５、３６を回す工具（例えばレンチ）を挿入するための孔５４、５５が設けられている。この孔５４、５５は、ボルト３３の下部と主回路側レバー１５の延長線上のケース４９にそれぞれ設けられている。
【００２５】
なお、本実施例では、２つのナット３５、３６（ダブルナット）を用いた例を説明したが、１つのナット（シングルナット）を用いることもできる。
【００２６】
次に、本実施例の電磁操作式開閉装置の動作について説明する。
【００２７】
通常、電磁操作式開閉装置の運転時には、真空バルブ５０内部の固定電極と可動電極が接触し、電流は、上部導体４７から真空バルブ５０と可動導体５１及び主回路導体５２を介して、下部導体４６へ通電される。そして、電磁操作式開閉装置が接続される系統での故障又は点検などの際には、真空バルブ５０内部の固定電極と可動電極を開離させ、主回路の通電を遮断する。以下、その動作を説明する。
【００２８】
即ち、制御プラグ４２若しくは切ボタン４５から出力された動作指令は、制御基板４１に伝送される。制御基板４１は、動作指令を受けてコンデンサ４に充電された電荷を、電磁石コイル２４に通電する。操作ロッド２６は、電磁石コイル２４の電磁力と遮断ばね２７の弾性力により、永久磁石２２の吸引力から開放され上方向へ動作する。操作ロッド２６に電磁操作器側レバー１６を介して接続されるシャフト主軸１４は、操作ロッド２６に連動して回転動作する。このシャフト主軸１４の回転動作により、主回路側レバー１５の短部が上下方向に動作し、リンク機構を介して絶縁ロッド１８とワイプばね５３及び可動導体５１が下方向に動作し、真空バルブ５０内部の電極を開離するものである。
【００２９】
以上のような動作により、主回路の通電を遮断する。電磁操作式開閉装置の主回路の投入動作については、遮断動作の逆動作のため説明を省略する。
【００３０】
次に、本実施例の電磁操作式開閉装置の組立方法とワイプ量調整方法を、図４を用いて説明する。
【００３１】
先ず、本実施例の電磁操作式開閉装置の組立方法、即ち、絶縁物注型遮断部４８とシャフト２の組立方法を説明する。
【００３２】
本実施例の電磁操作式開閉装置の組立方は、シャフト２の主回路側レバー１５は貫通穴３４Ａが形成されたピン３４が、貫通穴３４Ａの貫通方向（上下方向）と直交する方向（紙面と直角方向）に取り付けられ、かつ、絶縁ロッド１８の下部には雌ねじ部４０が形成されていると共に、ピン３４の貫通穴３４Ａを介して絶縁ロッド１８の雌ねじ部４０にボルト３３を挿入し、このボルト３３に通されているナット３５、３６を締め付けることで、シャフト２の主回路側レバー１５と絶縁物注型遮断部４８の絶縁ロッド１８を接続するに当たり、絶縁物注型遮断部４８をケース４９にモールド固定ボルト３８、３９で取り付けると共に、主回路側レバー１５に貫通穴３４Ａの空いたピン３４を取り付け、その後、シャフト２をケース４９に固定し、かつ、ピン３４の貫通穴３４Ａを通したボルト３３を絶縁ロッド１８の下部に形成されている雌ねじ部４０に挿入した後、ボルト３３に通されているナット３５、３６を締め付けることで、シャフト２と絶縁ロッド１８が接続されるものである。
【００３３】
つまり、初めに、絶縁物注型遮断部４８をケース４９にモールド固定ボルト３８、３９で取り付ける。主回路側レバー１５に貫通穴３４Ａの空いたピン３４を取り付け、シャフト主軸１４の両端部をシャフト軸受１２を介してケース４９にボルト等で固定することで、シャフト２をケース４９に固定する。そして、ピン３４の貫通穴３４Ａを通したボルト３３を絶縁ロッド１８の下部に備えられている雌ねじ部４０に挿入し、その後、ボルト３３に通されているナット３５及び３６を締め付けることで、シャフト２と絶縁ロッド１８を接続するものである。
【００３４】
このような構造とすることで、シャフト２と絶縁物注型遮断部４８を独立して取り付け（従来は、レバーを接続する際に中間板が必要であったが、その中間板が不要になったので、シャフト２と絶縁物注型遮断部４８を独立して取り付けが可能になった）、その後に両者を接続する構造とすることできるので、機器がコンパクト化されたとしても、少ない空間で作業性を高めることができる。
【００３５】
次に、本実施例の電磁操作式開閉装置のワイプ量調整方法を説明する。
【００３６】
本実施例の電磁操作式開閉装置のワイプ量調整方は、主回路側レバー１５は貫通穴３４Ａが形成されたピン３４が、貫通穴３４Ａの貫通方向（上下方向）と直交する方向（紙面と直角方向）に取り付けられ、かつ、絶縁ロッド１８の下部には雌ねじ部４０が形成されていると共に、ピン３４の貫通穴３４Ａを介して絶縁ロッド１８の雌ねじ部４０にボルト３３を挿入し、このボルト３３に通されているナット３５、３６を締め付けることで、主回路側レバー１５と絶縁ロッド１８が接続される電磁操作式開閉装置のワイプ量を調整するに当たり、主回路側レバー１５と絶縁ロッド１８の接続部を覆っているケース４９に設けられている孔５４及び５５からナット３５及び３６を回す工具（例えばレンチ）を挿入し、このレンチを回してボルト３３の雌ねじ部４０への挿入寸法を調整してワイプ量の調整を行うものである。
【００３７】
上述したケース４９に設けられている孔５４及び５５は、ボルト３３の下部と主回路側レバー１５の延長線上のそれぞれに設けられ、主回路側レバー１５の延長線上のケース４９に設けられた孔５４からレンチを挿入してナット３６を緩め、ボルト３３の下部に設けられた孔５５からレンチを挿入してボルト３３を回し、ボルト３３の雌ねじ部４０への挿入寸法を変化させることでワイプ量の調整を行うようにしている。これにより、容易にワイプ量の調整を行うことができる。
【００３８】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。実施例の構成の一部について、構成の追加・削除・置換をすることが可能である。
【符号の説明】
【００３９】
１…補助接点部、２…シャフト、３…電磁操作装置、４…コンデンサ、５…操作ロッド、６…カウンタ、７…補助接点、８…補助接点レバー、９…カウンタ操作ばね、１０…カウンタレバー、１１…下部プレート、１２…シャフト軸受、１３…補助接点側レバー、１４…シャフト主軸、１５…主回路側レバー、１６…電磁操作器側レバー、１７…接続ボルト、１８…絶縁ロッド、１９…固定ロッド、２０…取り付けボルト、２１、２５…取り付けプレート、２２…永久磁石、２３、２８…プレート、２４…電磁石コイル、２６…操作ロッド、２７…遮断ばね、２９…操作プレート、３０…固定ベルト、３１…下部プレート、３２…コンデンサ端子、３３…ボルト、３４…ピン、３４Ａ…貫通穴、３５、３６…ナット、３７…ワッシャー、３８、３９…モールド固定ボルト、４０…雌ねじ部、４１…制御基板、４２…制御プラグ、４３…移動台車、４４…入ボタン、４５…切ボタン、４６…下部導体、４７…上部導体、４８…絶縁物注形遮断部、４９…ケース、５０…真空バルブ、５１…可動導体、５２…主回路導体、５３…ワイプばね、５４、５５…孔、６０…真空遮断器。
【図１】
2015210926.tif 000003
【図２】
2015210926.tif 000004
【図３】
2015210926.tif 000005
【図４】
2015210926.tif 000006